【事件の表示】
　平成　７年特許願第２８３０５１号「理美容店のレイアウト構造」拒絶査定に対する審判事件［平成　９年　５月１３日出願公開、特開平　９−１２５７２１］について、次のとおり審決する。
【結　論】
　本件審判の請求は、成り立たない。
【理　由】
第１　手続の経緯
　本願は、平成７年１０月３１日の出願であって、平成１２年６月２６日付けで拒絶の理由が通知され、平成１２年９月１１日付けで手続補正がなされ、平成１３年４月１３日付けで最後の拒絶理由が通知され、平成１３年６月４日付けで手続補正がなされ、平成１３年７月３１日付けで補正却下の決定がなされ、同日付けで拒絶査定され、平成１３年９月６日に査定不服の審判請求がされ、平成１３年９月１１日付けで手続補正がなされ、当審において平成１４年１１月１３日付けで審尋がなされ、この審尋に対して請求人からは何の応答もない。
　
第２　平成１３年９月１１日付けの手続補正についての補正却下の決定
［補正却下の決定の結論］　
　平成１３年９月１１日付けの手続補正を却下する。
［理由］
１．補正の内容
　平成１３年９月１１日付けの手続補正は、特許請求の範囲を補正することを含むものであって、補正後の請求項１ないし７に係る発明のうち、請求項１ないし３に係る発明は、次のとおりのものである。
「【請求項１】複数台の理美容用椅子を、方形の床、同床の周縁に立設された壁、方形の天井及び屋根により形成された方形建物内の正面奥壁に対し斜め方向に向きを揃え、奥壁に沿って等間隔に配置し、かつ、各椅子の正面に椅子の向きに直交する対向壁を突設し、その対向壁に各椅子に対面する理美容用鏡を装着した構成を有することを特徴とする理美容店のレイアウト構造。
【請求項２】複数台の理美容用椅子を、方形の床、同床の周縁に立設された壁、方形の天井及び屋根により形成された方形建物内の正面奥壁に対し斜め方向に向きを揃え、奥壁に沿って等間隔に配置し、かつ、各椅子の正面に椅子の向きに直交状に位置する対向壁と椅子の側面方向に沿う側縁壁とを連接した突出壁を形成し、その対向壁に各椅子に対面する理美容用鏡を装着した構成を有することを特徴とする理美容店のレイアウト構造。
【請求項３】側縁壁に整理棚を凹設してなることを特徴とする請求項２に記載の理美容店のレイアウト構造。」
　
２．補正の適否
　上記手続補正は、平成１２年９月１１日付け手続補正書に記載された請求項１ないし３に記載された理美容室のレイアウト構造を「方形の床、同床の周縁に立設された壁、方形の天井及び屋根により形成された方形建物」に適用することに限定するものであり、特許請求の範囲の減縮を目的とするものであるから、独立特許要件について検討する。
　
(2-1)刊行物　
　本願出願前に頒布された刊行物である「別冊商店建築シリーズ９　秀作ファッション店・美容室第２集　※ハードカバー版　１９８６年５月１０日第３版　株式会社商店建築社発行」３５０ないし３５１頁（以下、刊行物１という）には、次のことが記載されている。
「施主は２階ですでに予約美容室（別料金）として多くの顧客から信頼を得ているこの道２７年のベテランビューティシャンである。・・・客の方々から予約のいらないジュニアのための美容室もという要望もあってこのような店になった。」（３５０頁本文１ないし８行）、
「セット椅子は左右の間隔が標準に満たないため壁面のパイプスペースもかねジグザグ配置にして作業に支障がないよう配慮した。」（３５０頁下から１４ないし１１行）。
　そして、３５１頁の写真「セットコーナーの鏡壁と収納ケースをみる」及び右下の図面「ｐｌａｎ」によれば、複数台のセット椅子を、壁に対し斜め方向に向きを揃え、壁に沿って等間隔に配置したこと、各椅子の正面に椅子の向きに直交状に位置する対向壁と椅子の側面方向に沿う側縁壁とを連接した突出壁を形成したこと、その対向壁に各椅子に対面する鏡を装着したこと、及び、側縁壁に収納ケースを凹設したことが記載されている。
　したがって、刊行物１には、複数台のセット椅子を、壁に対し斜め方向に向きを揃え、壁に沿って等間隔に配置し、かつ、各椅子の正面に椅子の向きに直交状に位置する対向壁と椅子の側面方向に沿う側縁壁とを連接した突出壁を形成し、その対向壁に各椅子に対面する鏡を装着し、側縁壁に収納ケースを凹設してなる美容室のレイアウト構造が記載されていると認められる。
　
　また、同様に、本願出願前に頒布された刊行物である実願昭６１−８２８８号（実開昭６２−１８９４０３号）のマイクロフィルムには、次のことが記載されている。　
「（産業上の利用分野）　本考案・・・店舗・・・等の主として仮設ハウスに利用される組立ハウスに関する。」（明細書１頁下から５ないし２行）、
「（実施例）　本考案の第１実施例について説明すれば、・・・３種類の断面の軽量型鋼Ａ、Ｂ、Ｃにより骨組１を形成し、この骨組み１に壁板２や窓３、出入り口４を嵌め付けるとともに、屋根５を装着してハウス６を形成している。」（４頁下から７ないし２行）。
　そして、第１図によれば、方形建物が記載されている。
　
(2-2)対比・判断
　そこで、平成１３年９月１１日付けの手続補正による補正後の請求項３に係る発明（以下、補正発明３という。）と刊行物１記載の発明とを対比すると、刊行物１記載の発明の「セット椅子」、「壁」、「鏡」、「収納ケース」及び「美容室」が補正発明３の「理美容用椅子」、「正面奥壁」、「理美容用鏡」、「整理棚」及び「理美容室」に相当するから、両者は、「複数台の理美容用椅子を、建物内の正面奥壁に対し斜め方向に向きを揃え、奥壁に沿って等間隔に配置し、かつ、各椅子の正面に椅子の向きに直交状に位置する対向壁と椅子の側面方向に沿う側縁壁とを連接した突出壁を形成し、その対向壁に各椅子に対面する理美容用鏡を装着し、側縁壁に整理棚を凹設してなる理美容室のレイアウト構造」である点で一致し、
　補正発明３が上記レイアウト構造を「方形の床、同床の周縁に立設された壁、方形の天井及び屋根により形成された方形建物」に適用したのに対し、刊行物１には、この点が記載されていない点で相違する。
　
　上記相違点を検討すると、例えば、刊行物２には、壁板や屋根からなる方形建物を店舗に適用したことが記載されており、建物において床、天井を形成することは技術常識であるから、「方形の床、同床の周縁に立設された壁、方形の天井及び屋根により形成された方形建物よりなる店舗」は周知技術といえ、刊行物１記載の発明を刊行物２等の周知技術に適用して上記相違点の補正発明３の構成とすることは、当業者であれば容易になし得ることである。
　そして、補正発明３の作用効果も上記刊行物１及び周知技術記載のものから当業者であれば当然予測できる範囲内のものである。
　したがって、 補正発明３は、刊行物１及び周知技術に基いて当業者が容易に発明をすることができたものであるから、その特許出願の際、独立して特許を受けることができない。
　
　また、補正発明３が、その特許出願の際、独立して特許を受けることができないものである以上、補正発明３の上位概念である補正後の請求項２に係る発明は、上記と同様の理由により、その特許出願の際、独立して特許を受けることができない。
　
３．むすび
　以上のとおりであるから、上記補正は、特許法第１７条の２第４項第２号に規定された特許請求の範囲の減縮を目的とするところ、補正後の発明が、その特許出願の際、独立して特許を受けることができないから、上記手続補正は、同法第１７条の２第５項において準用する同法第１２６条第４項の規定に違反し、同法第１５９条第１項において読み替えて準用する同法第５３条第１項の規定により、却下すべきものである。
　
第３　本願について
１．本願明細書
　原審において平成１３年６月４日付けの手続補正が却下され、平成１３年９月１１日付けの手続補正が上記のとおり却下されたので、本願明細書は、平成１２年９月１１日付けの手続補正書により補正された次のものと認められる。
　そして、平成１２年９月１１日付けの手続補正は、
当初明細書の特許請求の範囲の、
　「【請求項１】方形の床、同床の周縁に立設された壁、方形の天井及び屋根により形成された方形建物内に、複数台の理美容用椅子を、相互に等間隔で、かつ各理美容用椅子をその正面奥壁に対して斜めの方向に向きを揃えて配置してなることを特徴とする理美容店のレイアウト構造。
　【請求項２】方形の床、同床の周縁に立設された壁、方形の天井及び屋根により形成された方形建物内に、複数台の理美容用椅子を、相互に等間隔で、かつ各理美容用椅子をその正面奥壁に対して斜めの方向に向きを揃えて配置し、その正面奥壁の前方には、該各椅子に対向する位置に、該各椅子の向きに直交して対向する三角柱状の対向壁を突設し、その対向壁には該各椅子に対向して理美容用鏡を取着してなることを特徴とする理美容店のレイアウト構造。
　【請求項３】対向壁に、整理棚を凹設してなることを特徴とする請求項２記載の理美容店のレイアウト構造。
　【請求項４】方形建物が、長方形の床、同床の周縁に立設された壁、長方形の天井及び屋根により形成された左右に長い長方形建物であることを特徴とする請求項１ないし３のいずれかに記載の理美容店のレイアウト構造。
　【請求項５】三角柱状の対向壁内部に、備品庫を形設し、該備品庫の開閉扉をその対向壁にその正面奥壁側を支点にして取付け、その開閉扉には理美容用鏡を取着してなることを特徴とする請求項２ないし４のいずれかに記載の理美容店のレイアウト構造。
　【請求項６】三角柱状の対向壁の突出端上部には、セントラルクリーナアームを枢着し、セントラルクリーナアームは、その先端部はセントラルクリーナ吸引ホースが垂設され、かつその先端が理美容用椅子の上方を首振り可能であり、
不使用時にはその側縁壁に沿って収納可能に形成されたものであることを特徴とする請求項２ないし５のいずれかに記載の理美容店のレイアウト構造。
　【請求項７】方形建物内の中央空間に配設された理美容設備を挟んで、その右端空間には複数個の腰掛けを並べて客用待合室が形設され、かつ該待合室の正面前壁には扉付きの出入口が開設され、またその左端空間にはカーテンで仕切って、ロッカー、手洗台、簡易トイレ等の施業者用設備を配設してなることを特徴とする請求項１ないし６のいずれかに記載の理美容店のレイアウト構造。
　【請求項８】方形建物が、プレハブ製の方形ユニットハウスであることを特徴とする請求項１ないし７のいずれかに記載の理美容店のレイアウト構造。
　【請求項９】方形建物の正面前壁が、全面ガラス張りで形成されてなることを特徴とする請求項１ないし８のいずれかに記載の理美容店のレイアウト構造。
　【請求項１０】方形建物の正面前壁及び右側端壁が、全面ガラス張りで形成されてなることを特徴とする請求項１ないし８のいずれかに記載の理美容店のレイアウト構造。
　【請求項１１】理美容店が、カツト専門理髪店であることを特徴とする請求項１ないし１０のいずれかに記載の理美容店のレイアウト構造。」を、
　　
　『【請求項１】　
複数台の理美容用椅子を建物の正面奥壁に対し斜め方向に向きを揃え、奥壁に沿って等間隔に配置し、かつ、各椅子の正面に椅子の向きに直交する対向壁を突設し、その対向壁に各椅子に対面する理美容用鏡を装着した構成を有する
　　【請求項２】　
複数台の理美容用椅子を建物の正面奥壁に対し斜め方向に向きを揃え、奥壁に沿って等間隔に配置し、かつ、各椅子の正面に椅子の向きに直交状に位置する対向壁と椅子の側面方向に沿う側縁壁とを連接した突出壁を形成し、その対向壁に各椅子に対面する理美容用鏡を装着した構成を有する
　　【請求項３】　
側縁壁に
　　【請求項
４
対
に備
を対
に正
１ないし３
　　【請求項
５
長
井に
方形状のユニットハウス内に各設備が設置されてなる
４
　　【請求項
６
方形状のユニットハウス
５に
　　【請求項
７
６
と補正するものである。
　
２．判断
　平成１２年９月１１日付けの手続補正により、請求項１ないし４及び７に係る発明は、「方形の床、同床の周縁に立設された壁、方形の天井及び屋根により形成された方形建物内」との構成が削除された結果、理美容店の椅子等を「方形建物内」以外に配置するものも含まれるものとなった。
　しかし、出願当初明細書に記載されているのは、「方形の床、同床の周縁に立設された壁、方形の天井及び屋根により形成された方形建物」に配置された理美容店のレイアウト構造であり、方形建物内以外に配置することは記載されていないから、該手続補正は、本願の願書に最初に添付した明細書又は図面の範囲内でしたものではない。
　
３．むすび
　以上のとおり、本願の平成１２年９月１１日付けの手続補正は、特許法第１７条の２第３項に規定する要件を満たしておらず、本願は拒絶すべきものである。
　よって、結論のとおり、審決する